(57)【特許請求の範囲】
【請求項１】
受信した既知シンボルを複数スロットに渡ってパス毎に平均化する平均化手段と、平均化された既知シンボルを用いてパス毎の希望波電力を算出する希望波電力算出手段と、前記受信した既知シンボルと前記平均化された既知シンボルとの偏差をパス毎に算出する減算手段と、パス毎の前記偏差に対して重み付け制御を行う重み付け制御手段と、重み付け制御された偏差を用いて同相加算し、干渉波電力を算出する干渉波電力算出手段と、希望波電力及び干渉波電力を用いて希望波電力対干渉波電力比を算出する希望波電力対干渉波電力比算出手段と、を具備することを特徴とする無線受信装置。
【請求項２】
重み付け制御手段は、パス毎の希望波電力を重み係数とすることを特徴とする請求項１記載の無線受信装置。
【請求項３】
請求項１又は請求項２に記載の無線受信装置を備えたことを特徴とする無線基地局装置。
【請求項４】
請求項１又は請求項２に記載の無線受信装置を備えたことを特徴とする通信端末装置。
【請求項５】
受信した既知シンボルを複数スロットに渡ってパス毎に平均化する工程と、平均化された既知シンボルを用いてパス毎の希望波電力を算出する工程と、前記受信した既知シンボルと前記平均化された既知シンボルとの偏差をパス毎に算出する工程と、パス毎の前記偏差に対して重み付け制御を行う工程と、重み付け制御された偏差を用いて同相加算し、干渉波電力を算出する工程と、を具備することを特徴とするＳＩＲ算出方法。
【請求項６】
重み付け制御工程において、パス毎の希望波電力を重み係数とすることを特徴とする請求項５記載のＳＩＲ算出方法。
【発明の詳細な説明】
【０００１】
【発明の属する技術分野】
本発明は、ディジタル無線通信システムにおいて使用される無線受信装置及びＳＩＲ算出方法に関する。
【０００２】
【従来の技術】
移動体通信システムのアクセス方式として注目を集めているＣＤＭＡ（Ｃｏｄｅ  Ｄｉｖｉｓｉｏｎ  Ｍｕｌｔｉｐｌｅ  Ａｃｃｅｓｓ）では、受信局が受ける干渉量によってシステム容量が制限される。システム容量を確保するためには、干渉を低く抑える、すなわち他局の送信電力をできるだけ低く抑える必要がある。
【０００３】
そのため、ＣＤＭＡにおいては、受信信号の品質に応じて送信電力を増減する送信電力制御（ＴＰＣ）が必須の技術となる。この送信電力制御において、受信信号の品質を図る尺度としては、受信希望信号電力対干渉電力比、すなわちＳＩＲ（Ｓｉｇｎａｌ  ｔｏ  Ｉｎｔｅｒｆｅｒｅｎｃｅ  Ｒａｔｉｏ）が一般に用いられる。システムに与える干渉を最小にして、システム容量を確保するためには、受信信号のＳＩＲを正確に測定して、正確な送信電力制御を行う必要がある。
【０００４】
従来検討されているＳＩＲの測定方式としては、ＲＡＫＥ合成後ＳＩＲ測定方式とＲＡＫＥ合成前ＳＩＲ測定方式がある。どちらも受信信号に含まれる既知シンボルを用いてＳＩＲを測定する方式である。
【０００５】
具体的には、ＲＡＫＥ合成後ＳＩＲ測定方式では、既知シンボルに対するＲＡＫＥ合成後の信号を用い、既知シンボルを平均して希望信号電力（ＲＳＣＰ：Ｒｅｃｅｉｖｅｄ  Ｓｉｇｎａｌ  Ｃｏｄｅ  Ｐｏｗｅｒ）とし、その平均シンボルから各ＲＡＫＥ合成シンボルとの分散を求めて、その分散値を干渉信号電力（ＩＳＣＰ：Ｉｎｔｅｒｆｅｒｅｎｃｅ  Ｓｉｇｎａｌ  Ｃｏｄｅ  Ｐｏｗｅｒ）とし、ＲＳＣＰとＩＳＣＰの比率をＳＩＲとする。
【０００６】
一方、ＲＡＫＥ前ＳＩＲ測定方式では、ＲＡＫＥ合成前の既知シンボルの逆拡散値を用い、各パス毎に既知シンボルの逆拡散値の平均及びその平均からの逆拡散値の分散を求め、パス毎の平均値の和を希望信号電力（ＲＳＣＰ）とし、パス毎の分散の平均を干渉信号電力（ＩＳＣＰ）とし、ＲＳＣＰとＩＳＣＰの比率をＳＩＲとする。
【０００７】
以下、従来のＲＡＫＥ合成後ＳＩＲ測定方式について数式を用いて説明する。まず、受信信号に含まれる既知シンボルを逆拡散して同期検波及びＲＡＫＥ合成を行う。このとき、パス毎の同期検波係数ｈ［ｐ］．ｉ，ｈ［ｐ］．ｑは、下記式（１），式（２）のように、シンボル毎逆拡散値を象限補正することにより求めることができる。
【数１】
0003559030.tif 000002
【数２】
0003559030.tif 000003
【０００８】
ＲＡＫＥ合成後の既知シンボルＲｘ［ｎ］．ｉ，Ｒｘ［ｎ］．ｑは、下記式（３），式（４）により求められる。
【数３】
0003559030.tif 000004
【数４】
0003559030.tif 000005
【０００９】
次に、ＲＳＣＰを算出する。スロット毎のＲＳＣＰの測定結果ｒｓｃｐは、ＲＡＫＥ合成後の既知シンボルの平均として、下記式（５），式（６）により求めることができる。
【数５】
0003559030.tif 000006
【数６】
0003559030.tif 000007
【００１０】
これにより、ＲＳＣＰの測定結果は、下記式（７）により求められる。
【数７】
0003559030.tif 000008
【００１１】
次に、ＩＳＣＰを測定する。ＩＳＣＰ成分ｉｓｃｐ［ｎ］．ｉ，ｉｓｃｐ［ｎ］．ｑは、ＲＡＫＥ合成後の既知シンボルと、そのスロット毎の平均との差分から、式（８），式（９）により求めることができる。
【数８】
0003559030.tif 000009
【数９】
0003559030.tif 000010
【００１２】
これにより、スロット毎のＩＳＣＰの測定結果の電力は、下記式（１０）により求めることができる。
【数１０】
0003559030.tif 000011
【００１３】
最後に、ＳＩＲを測定する。ＳＩＲは、式（２）及び式（３）により求めたＲＳＣＰ及びＩＳＣＰを用いて、下記式（１１），式（１２）により求めることができる。
【数１１】
0003559030.tif 000012
【数１２】
0003559030.tif 000013
【００１４】
次に、従来のＲＡＫＥ合成前ＳＩＲ測定方式について数式を用いて説明する。まず、受信信号に含まれる既知シンボルに対して逆拡散処理を行い、逆拡散処理後の既知シンボルについて象限補正を行う。各パスの象限補正後の既知シンボルＳｘ［ｎ］［ｐ］．ｉ，Ｓｘ［ｎ］［ｐ］．ｑ（ｎ＝１〜Ｎ）は、下記式（１３），式（１４）により求められる。
【数１３】
0003559030.tif 000014
【数１４】
0003559030.tif 000015
【００１５】
次に、象限補正された信号についてＲＳＣＰを測定する。この場合、象限補正後の既知シンボルの平均ｒｓｃｐ［ｐ］．ｉ，ｒｓｃｐ［ｐ］．ｑは、下記式（１５），式（１６）により求められる。
【数１５】
0003559030.tif 000016
【数１６】
0003559030.tif 000017
【００１６】
これにより、パス毎のＲＳＣＰは、下記式（１７）により求められる。
【数１７】
0003559030.tif 000018
【００１７】
そして、下記式（１８）のように、パス毎のＲＳＣＰ測定電力を加えることにより全体のＲＳＣＰが求められる。
【数１８】
0003559030.tif 000019
【００１８】
一方、象限補正後の既知シンボルと、そのスロット毎の平均（パス毎のＲＳＣＰ）との差分より、ＩＳＣＰ成分が求められる。すなわち、ＩＳＣＰ成分であるｉｓｃｐ［ｎ］［ｐ］．ｉ，ｉｓｃｐ［ｎ］［ｐ］．ｑは、下記式（１９），式（２０）により求めることができる。
【数１９】
0003559030.tif 000020
【数２０】
0003559030.tif 000021
【００１９】
そして、下記式（２１）のように、複数スロットに渡って平均化することによりパス毎のＩＳＣＰが求められる。
【数２１】
0003559030.tif 000022
【００２０】
そして、下記式（２２）のように、パス毎のＩＳＣＰを加えた総ＩＳＣＰをパス数で除すことによって全体のＩＳＣＰが求められる。
【数２２】
0003559030.tif 000023
【００２１】
最後にＳＩＲを測定する。ＳＩＲは、全体のＲＳＣＰ及び全体のＩＳＣＰを用いて、上記式（１１），式（１２）により求めることができる。
【００２２】
【非特許文献１】
雨澤他：”ＲＡＫＥ合成前の信号を用いたＳＩＲ測定法の検討”、１９９８年電子情報通信学会総合大会．Ｂ−５−１１０
【００２３】
【発明が解決しようとする課題】
ここで、ＳＩＲ測定に基づくクローズドループ型送信電力制御では、ＳＩＲ測定から送信電力制御コマンド送信までの遅延が性能劣化の原因となるため、高速なＳＩＲ測定が要求される。
【００２４】
しかしながら、ＲＡＫＥ合成後ＳＩＲ測定方式では、ＳＩＲ測定においてＲＡＫＥ合成のための同期検波処理式（１）〜式（４）が必要となり、高速なＳＩＲ測定を行うためには、処理の負担が増大してしまうという問題がある。
【００２５】
一方、ＲＡＫＥ合成前ＳＩＲ測定方式では、ＳＩＲ測定において同期検波処理は必要ないものの、干渉信号電力について、単純にパス間の成分の平均としている（式（２２））ので、パスそれぞれの信頼性が反映されないという問題がある。
【００２６】
すなわち、ＲＳＣＰの小さいパスでは、そもそもパスの割り当て位置の信頼性が低い場合が多く、パス位置が正しい位置からずれている場合は、ＳＩＲ測定を行ったとしても正しい出力は得られないことがある。さらに、ＲＳＣＰが小さいパスは、雑音の影響を大きく受けているため、ＳＩＲ測定値自体の信頼性も低い。このような信頼性の低いパスを含めてＳＩＲ測定を行った場合、パス間の電力の和をとるＲＳＣＰについては、信頼性が低いパスの寄与は小さいため影響は小さいと考えられるが、ＩＳＣＰについては、パス数による平均をとるため、信頼性の低いパスが多いほど、ＩＳＣＰは実際よりも大きく測定されることが多くなる。
【００２７】
したがって、受信信号からパスの位置を探すパスサーチ機能の性能、あるいは伝搬路状態によってＳＩＲ測定結果（平均値のずれ、分散の大きさなど）が変化してしまうという欠点がある。
【００２８】
この問題について詳細に説明する。パスサーチ及びフィンガ割り当てからＳＩＲ測定の動作の例を以下に示す。受信信号から図４に示すような遅延プロファイルを得て、パス４は正しいパス位置から外れた場所に割り当てられたとする。遅延プロファイルに現れるピークは、希望波信号の遅延波によるものであり、それ以外の雑音（干渉）電力は基本的に遅延プロファイル中は一定である。このとき、それぞれのパスで計算したＲＳＣＰ，ＩＳＣＰの電力を図５に示す。
【００２９】
パス１及びパス２については、ＲＳＣＰ（希望波信号電力）が十分に大きいため、雑音（干渉信号）の影響が少なく、それぞれのＲＳＣＰとＩＳＣＰ（干渉信号電力）が正しく測定される。ここでは、ＩＳＣＰの電力は、遅延プロファイル中は一定で２と仮定している。
【００３０】
これに対して、パス３及びパス４については、ＲＳＣＰが小さいため、干渉信号の影響を大きく受けてしまい、測定されるＩＳＣＰの値は大きくなり、さらにＩＳＣＰ測定値のばらつきも大きくなってしまう。
【００３１】
ここで、従来のＩＳＣＰを平均化する方法では、パス毎に得られたＩＳＣＰをパス数で平均化するため、以下のように求まる。
0003559030.tif 000024
【００３２】
本来のＩＳＣＰは２であるにもかかわらず、パス３及びパス４のようなＲＳＣＰが小さくＩＳＣＰ測定値に信頼性のないパスまでも単純に平均に加えているため、平均後のＩＳＣＰは高くなってしまう。
【００３３】
例えば、受信信号からパス位置を探すパスサーチ機能の性能、あるいは伝搬路環境によって、上記のように正しいパス位置以外にパスが割り当てられることがある場合、ＲＳＣＰ以外の電力を多く受信するため、測定されたＩＳＣＰと本来のＩＳＣＰの乖離がより大きくなり、測定ＳＩＲが実際より劣化してしまう。
【００３４】
さらに、そのＳＩＲ測定結果を用いて行われるＴＰＣの性能も変化し、最終的にＴＰＣ誤差の増大により、品質を満足するために必要となる送信電力の増大を招くことになる。したがって、無線システムにあたえる干渉を増大させ、システム容量を減少させるという問題がある。
【００３５】
本発明はかかる点に鑑みてなされたものであり、干渉波成分の同相加算を行うことによって、ＲＡＫＥ合成前での測定で、ＲＡＫＥ合成後での測定相当の高精度なＳＩＲ測定を行うことができる無線受信装置及びＳＩＲ算出方法を提供することを目的とする。
【００３６】
【課題を解決するための手段】
本発明の無線受信装置は、受信した既知シンボルを複数スロットに渡ってパス毎に平均化する平均化手段と、平均化された既知シンボルを用いてパス毎の希望波電力を算出する希望波電力算出手段と、前記受信した既知シンボルと前記平均化された既知シンボルとの偏差をパス毎に算出する減算手段と、パス毎の前記偏差に対して重み付け制御を行う重み付け制御手段と、重み付け制御された偏差を用いて同相加算し、干渉波電力を算出する干渉波電力算出手段と、希望波電力及び干渉波電力を用いて希望波電力対干渉波電力比を算出する希望波電力対干渉波電力比算出手段と、を具備する構成を採る。
【００３７】
この構成によれば、干渉波成分の同相加算を行うことによって、ＲＡＫＥ合成前での測定で、ＲＡＫＥ合成後での測定相当の高精度なＳＩＲ測定を行うことができ、さらに同期検波の必要がないため短時間でＳＩＲ測定を行うことができる。
【００３８】
本発明の無線受信装置における重み付け制御手段が、パス毎の希望波電力を重み係数とする構成を採る。
【００３９】
この構成によれば、希望波信号電力が小さく信頼性が低いパスの干渉波電力について干渉波電力の測定値に対する寄与を小さく抑えて、高精度なＳＩＲ測定を行うことができる。
【００４０】
本発明の無線基地局装置は、上記無線受信装置を備えたことを特徴とする。また、本発明の通信端末装置は、上記無線受信装置を備えたことを特徴とする。
【００４１】
これらの構成によれば、高精度のＳＩＲ測定を行うことができ、最適なＴＰＣ制御を行うことができる。したがって、システムに与える干渉を低減でき、システム容量を増大させることができる。
【００４２】
本発明のＳＩＲ算出方法は、受信した既知シンボルを複数スロットに渡ってパス毎に平均化する工程と、平均化された既知シンボルを用いてパス毎の希望波電力を算出する工程と、前記受信した既知シンボルと前記平均化された既知シンボルとの偏差をパス毎に算出する工程と、パス毎の前記偏差に対して重み付け制御を行う工程と、重み付け制御された偏差を用いて同相加算し、干渉波電力を算出する工程と、を具備する方法を採る。
【００４３】
この方法によれば、干渉波成分の同相加算を行うことによって、ＲＡＫＥ合成前での測定で、ＲＡＫＥ合成後での測定相当の高精度なＳＩＲ測定を行うことができ、同期検波の必要がないため短時間でＳＩＲ測定を行うことができる。
【００４４】
本発明のＳＩＲ算出方法は、重み付け制御工程で、パス毎の希望波電力を重み係数とする。
【００４５】
この方法によれば、パス毎の干渉波電力に重み付けを行うことによって、雑音の影響を大きく受けているパスからの計算値の重みを小さくできるので、干渉波電力の測定値のばらつきを抑えることができ、干渉波電力をより正確に測定することができ、高精度のＳＩＲ測定を行うことができる。
【００４６】
【発明の実施の形態】
本発明者は、同期検波処理を必要としないＲＡＫＥ合成前ＳＩＲ測定方式において、ＲＡＫＥ合成でなされる干渉波成分の抑圧が考慮されていないことに着目し、干渉は成分の同相加算を行うことにより、精度良く干渉波電力を算出できることを見出し、本発明をするに至った。
【００４７】
すなわち、本発明の骨子は、ＳＩＲ測定の干渉信号電力測定において、ＲＡＫＥ合成前の各パスの干渉波成分を同相加算した後、干渉波電力を測定することで、ＲＡＫＥ合成後で測定するのと同等な高精度なＳＩＲ測定を行うことである。
【００４８】
以下、本発明の実施の形態について、添付図面を参照して詳細に説明する。
図１は、本発明の一実施の形態に係る無線受信装置の構成を示すブロック図である。なお、図１においては、パスが３つである場合の構成について記載しているが、パス数については特に制限がないので、各構成要素数はパス数に応じて適宜変更することが可能である。
【００４９】
送信側から送信された無線信号は、アンテナ１０１を介して無線受信部１０２で受信される。無線受信部１０２は、受信された信号に対して所定の無線受信処理（例えば、ダウンコンバートやＡ／Ｄ変換など）を行って、無線受信処理後の信号を逆拡散部１０３ａ〜１０３ｃに出力する。
【００５０】
逆拡散部１０３ａ〜１０３ｃは、送信側で使用した拡散コードを用いて無線受信処理後の信号に対して逆拡散処理を行って象限補正を行い、対応する平均化部１０４ａ〜１０４ｃ及び対応する減算部１０５ａ〜１０５ｃに出力する。
【００５１】
平均化部１０４ａ〜１０４ｃは、象限補正された信号に含まれる既知シンボルを複数スロットに渡って平均化し、対応する減算部１０５ａ〜１０５ｃ及び対応するＲＳＣＰ算出部１０６ａ〜１０６ｃに出力する。
【００５２】
減算部１０５ａ〜１０５ｃは、逆拡散部１０３ａ〜１０３ｃから出力されたスロット毎の既知シンボルから平均化部１０４ａ〜１０４ｃにて算出された既知シンボルの平均値を減算することによりパス毎、スロット毎の既知シンボルの偏差を求め、対応する乗算部１０７ａ〜１０７ｃに出力する。
【００５３】
ＲＳＣＰ算出部１０６ａ〜１０６ｃは、既知シンボルの平均値を用いてパス毎にＲＳＣＰを算出し、対応する乗算部１０７ａ〜１０７ｃ及び合成部１０８に出力する。
【００５４】
乗算部１０７ａ〜１０７ｃは、パス毎、スロット毎の既知シンボルの偏差にパス毎のＲＳＣＰを乗算することにより、パス毎、スロット毎の偏差に重み付けを行う。
【００５５】
合成部１０８は、パス毎のＲＳＣＰを加算して全体のＲＳＣＰを算出し、ＳＩＲ算出部１１２に出力する。
【００５６】
合成部１０９は、重み付けされた各パスの既知シンボルの偏差を加算してスロット毎の偏差を算出し、ＩＳＣＰ算出部１１０に出力する。
【００５７】
ＩＳＣＰ算出部１１０は、スロット毎の既知シンボルの偏差を用いてスロット毎の分散値を算出し、平均化部１１１に出力する。
【００５８】
平均化部１１１は、分散値を複数スロットに渡って平均化することにより全体のＩＳＣＰを算出し、ＳＩＲ算出部１１２に出力する。
【００５９】
ＳＩＲ算出部１１２は、全体のＲＳＣＰ及び全体のＩＳＣＰを用いてＳＩＲを算出する。
【００６０】
次に、上記構成を有する無線受信装置において本発明に係るＲＡＫＥ合成前ＳＩＲ測定を行う場合について数式を用いて説明する。
【００６１】
まず、アンテナ１０１を介して受信された無線信号に対して、無線受信部１０２にて所定の無線受信処理を行った後に、逆拡散部１０３ａ〜１０３ｃが逆拡散処理を行い、逆拡散処理後の既知シンボルについて象限補正を行う。各パスの象限補正後の既知シンボルＳｘ［ｎ］［ｐ］．ｉ，Ｓｘ［ｎ］［ｐ］．ｑ（ｎ＝１〜Ｎ）は、上記式（１３），式（１４）により求められる。
【００６２】
次に、平均化部１０４ａ〜１０４ｃにて、象限補正後の既知シンボルの平均ｒｓｃｐ［ｐ］．ｉ，ｒｓｃｐ［ｐ］．ｑが上記式（１５），式（１６）により求められる。更に、ＲＳＣＰ算出部１０６ａ〜１０６ｃにて、パス毎のＲＳＣＰが上記式（１７）により求められる。そして、合成部１０８にて、パス毎のＲＳＣＰ測定電力を加えて、全体のＲＳＣＰが上記式（１８）により求められる。
【００６３】
一方、減算部１０５ａ〜１０５ｃにて、パス毎、スロット毎の既知シンボルのＩＳＣＰ成分ｉｓｃｐ［ｎ］［ｐ］．ｉ，ｉｓｃｐ［ｎ］［ｐ］．ｑが下記式（２３）により求められる。
【数２３】
0003559030.tif 000025
【００６４】
そして、乗算部１０７ａ〜１０７ｃにて、パス毎、スロット毎の既知シンボルのＩＳＣＰ成分ｉｓｃｐ［ｎ］［ｐ］．ｉ，ｉｓｃｐ［ｎ］［ｐ］．ｑに対して下記式（２４）により重み付けがなされる（重みをｗ［ｎ］で示す）。
【数２４】
0003559030.tif 000026
【００６５】
そして、合成部１０９にて、各パスの既知シンボルのＩＳＣＰ成分が加算され、シンボル毎の既知シンボルのＩＳＣＰ成分が下記式（２５）により求められる。
【数２５】
0003559030.tif 000027
【００６６】
そして、ＩＳＣＰ算出部１１０にて、シンボル毎の既知シンボルのＩＳＣＰが下記式（２６）により求められる。
【数２６】
0003559030.tif 000028
【００６７】
そして、平均化部１１１にて、シンボル毎の既知シンボルの偏差をスロット内に渡って平均化することにより、全体のＩＳＣＰが下記式（２７）により求められる。
【数２７】
0003559030.tif 000029
【００６８】
最後に、ＳＩＲ算出部１１２にて、全体のＲＳＣＰ及び全体のＩＳＣＰを用いて、ＳＩＲが上記式（１１），式（１２）により求められる。
【００６９】
このＳＩＲ値を目標ＳＩＲ値と比較し、その比較結果に基づいて送信電力制御ビットを生成する、いわゆる送信電力制御が行われる。
【００７０】
次に、本実施の形態により算出されるＩＳＣＰについて、図２を用いて具体的に説明する。図２は、本実施の形態の方法で算出した各パスの電力を示すＩＱ平面図である。図２（ａ）は、上記図４に示した遅延プロファイルにおける各パスのＲＳＣＰ及びＩＳＣＰの電力をＩＱ平面上にベクトル表示した図である。また、図２（ｂ）は、図２（ａ）の各パスのＩＳＣＰの電力をベクトルの始点を原点にして示した図である。
【００７１】
本実施の形態では、全体のＲＳＣＰに占めるそのパスのＲＳＣＰの比率で各パスのＩＳＣＰに重み付けを行い、合成する。図３（ａ）は、図２（ｂ）の各パスのＩＳＣＰの電力に重み付けした後の状態を示した図である。図３（ａ）に示すように、ＩＳＣＰは、ＲＳＣＰの大きさ応じた大きさになっている。
【００７２】
図３（ｂ）は、図３（ａ）に示した重み付け後の各パスのＩＳＣＰを合成した状態を示した図である。図３（ｂ）から明らかなように、ベクトル（同相）加算することによりノイズ成分が抑圧され、ＲＡＫＥ合成後にＩＳＣＰを測定した場合と同様に、高精度に測定することができる。
【００７３】
このように、本発明によれば、パス毎にＲＳＣＰに比例した重みをＩＳＣＰに乗算することにより、他のパスに比較してＲＳＣＰが小さく信頼性が低いパスから計算されるＩＳＣＰの測定値に対する寄与を小さく抑えることができるので、ＩＳＣＰ測定値のばらつきを抑え、ＩＳＣＰの測定値の信頼性を高めることができる。
【００７４】
さらに、分散を算出する前のノイズベクトルに重み付けを行い、ベクトル（同相）加算することによりノイズ成分が抑圧されるので、ＲＡＫＥ合成後に相当するＩＳＣＰを短い平均化時間で精度よく得ることができる。
【００７５】
なお、本発明は上記一実施の形態に限定されず、種々変更して実施することが可能である。例えば、ＳＩＲ測定に使用するパス数は上記一実施の形態に限定されない。また、上記計算に使用した数値などはこれに限定されるものではない。
【００７６】
また、本発明は、ディジタル無線通信システム、特にＣＤＭＡ方式のシステムにおける無線基地局装置及び通信端末装置に搭載することができる。これにより、高精度のＳＩＲ測定を行うことができ、最適なＴＰＣ制御を行うことができる。したがって、システムに与える干渉を低減でき、システム容量を増大させることができる。
【００７７】
【発明の効果】
以上説明したように本発明によれば、干渉波成分を同相加算することでノイズ成分の抑圧を行うので、精度良く干渉波電力を測定することができ、高精度なＳＩＲ測定を行うことができる。これにより、パスサーチ性能の優劣や伝搬路によるＳＩＲ測定性能の変化を抑えることができ、最適なＴＰＣ制御を行うことができる。したがって、システムに与える干渉を低減でき、システム容量を増大させることができる。
【図面の簡単な説明】
【図１】本発明の一実施の形態に係る無線受信装置の構成を示すブロック図
【図２】上記実施の形態に係る方法により算出した各パスの電力を示すＩＱ平面図
【図３】上記実施の形態に係る方法により算出した各パスの電力を示すＩＱ平面図
【図４】遅延プロファイルを示す図
【図５】従来の方法により算出した各パスの電力を示す図
【符号の説明】
１０１  アンテナ
１０２  無線受信部
１０３ａ〜１０３ｃ  逆拡散部
１０４ａ〜１０４ｃ、１１１  平均化部
１０５ａ〜１０５ｃ  減算部
１０６ａ〜１０６ｃ  ＲＳＣＰ算出部
１０７ａ〜１０７ｃ  乗算部
１０８、１０９  合成部
１１０  ＩＳＣＰ算出部
１１２  ＳＩＲ算出部
【図１】
0003559030.tif 000030
【図２】
0003559030.tif 000031
【図３】
0003559030.tif 000032
【図４】
0003559030.tif 000033
【図５】
0003559030.tif 000034